(57)【特許請求の範囲】
【請求項１】
被覆された複数の信号線と前記複数の信号線を保護する外側部材とを備えるケーブルの前後方向における前端に取り付け可能なコネクタであって、
前記コネクタは、複数の端子と、保持部材と、上側シェルと、下側シェルと、第１インピーダンス調整部と、第２インピーダンス調整部とを備えており、
前記端子は、前記前後方向と直交するピッチ方向に並べられており、
前記保持部材は、前記端子を保持しており、
前記上側シェル及び前記下側シェルは、前記前後方向及び前記ピッチ方向の双方と直交する上下方向において前記保持部材を挟んでおり、
前記第１インピーダンス調整部は、前記上側シェル又は前記下側シェルである第１シェルと一体の部位であり、
前記第１シェルは、第１外側部と、第１連結部とを有しており、
前記第１外側部及び前記第１インピーダンス調整部は、前記ピッチ方向において向かい合っており、且つ、前記ピッチ方向と交差する方向に延びており、
前記第１インピーダンス調整部は、前記ピッチ方向において前記第１外側部の内側に位置しており、
前記第１連結部は、前記第１外側部と前記第１インピーダンス調整部とを互いに連結しており、
前記第２インピーダンス調整部は、前記上側シェル又は前記下側シェルである第２シェルと一体の部位であり、
前記第２シェルは、第２外側部と、第２連結部とを有しており、
前記第２外側部及び前記第２インピーダンス調整部は、前記ピッチ方向において向かい合っており、且つ、前記ピッチ方向と交差する方向に延びており、
前記第２インピーダンス調整部は、前記ピッチ方向において前記第２外側部の内側に位置しており、
前記第２連結部は、前記第２外側部と前記第２インピーダンス調整部とを互いに連結しており、
前記コネクタが前記ケーブルの前記前端に取り付けられた際に、前記端子は、前記ピッチ方向に並べられた前記信号線に夫々取り付けられ、前記第１インピーダンス調整部及び前記第２インピーダンス調整部は、前記信号線全体の前記ピッチ方向における両側に夫々位置し、
前記下側シェルが、前記第１シェルであり、且つ、前記第２シェルであり、
前記上側シェルは、本体部と、上側絞り部と、かしめ部とを有しており、
前記上側絞り部は、前記本体部の後方に位置しており、前記ピッチ方向において狭まりつつ後方の前記かしめ部に向かって延びており、
前記下側シェルは、前部と、下側絞り部と、後部とを有しており、
前記下側絞り部は、前記前部の後方に位置しており、前記ピッチ方向において狭まりつつ後方の前記後部に向かって延びており、
前記下側シェルの前記前部は、前記ピッチ方向において前記上側シェルの前記本体部の外側に位置しており、
前記下側シェルの前記後部は、前記ピッチ方向において前記上側シェルの前記本体部の内側に位置している
コネクタ。
【請求項２】
請求項１記載のコネクタであって、
前記第１外側部及び前記第１インピーダンス調整部は、前記ピッチ方向において他の部位や部材を間に介することなく直接的に向かい合っており、
前記第２外側部及び前記第２インピーダンス調整部は、前記ピッチ方向において他の部位や部材を間に介することなく直接的に向かい合っている
コネクタ。
【請求項３】
請求項１又は請求項２記載のコネクタであって、
前記第１連結部は、前記第１外側部の前記上下方向における一端と前記第１インピーダンス調整部の前記上下方向における一端との間をＵ字状に延びており、
前記第２連結部は、前記第２外側部の前記上下方向における一端と前記第２インピーダンス調整部の前記上下方向における一端との間をＵ字状に延びている
コネクタ。
【請求項４】
請求項１から請求項３までのいずれかに記載のコネクタであって、
前記端子の数は２である
コネクタ。
【請求項５】
請求項１から請求項４までのいずれかに記載のコネクタであって、
前記第１インピーダンス調整部及び前記第２インピーダンス調整部の夫々は、前記ピッチ方向において前記保持部材の外側端よりも内側に位置しており、前記前後方向において前記端子よりも後方に位置している
コネクタ。
【請求項６】
請求項１から請求項５までのいずれかに記載のコネクタであって、
前記第１インピーダンス調整部及び前記第２インピーダンス調整部の夫々は、前記前後方向において前記保持部材の真後ろに位置して、前記保持部材と接触又は近接している
コネクタ。
【請求項７】
コネクタと、ケーブルとを備えるワイヤハーネスであって、
前記コネクタは、前記ケーブルの前後方向における前端に取り付けられており、
前記ケーブルは、被覆された複数の信号線と、外側部材とを備えており、
前記信号線の夫々は、被保護部と、露出部とを有しており、
前記外側部材は、前記複数の信号線の前記被保護部を保護しており、
前記露出部は、前記被保護部の前方に位置しており、且つ、前記外側部材の外部に露出しており、
前記コネクタは、複数の端子と、保持部材と、上側シェルと、下側シェルと、第１インピーダンス調整部と、第２インピーダンス調整部とを備えており、
前記端子は、前記前後方向と直交するピッチ方向に並べられており、
前記保持部材は、前記端子を保持しており、
前記上側シェル及び前記下側シェルは、前記前後方向及び前記ピッチ方向の双方と直交する上下方向において前記保持部材を挟んでおり、
前記第１インピーダンス調整部は、前記上側シェル又は前記下側シェルである第１シェルと一体の部位であり、
前記第１シェルは、第１外側部と、第１連結部とを有しており、
前記第１外側部及び前記第１インピーダンス調整部は、前記ピッチ方向において向かい合っており、且つ、前記ピッチ方向と交差する方向に延びており、
前記第１インピーダンス調整部は、前記ピッチ方向において前記第１外側部の内側に位置しており、
前記第１連結部は、前記第１外側部と前記第１インピーダンス調整部とを互いに連結しており、
前記第２インピーダンス調整部は、前記上側シェル又は前記下側シェルである第２シェルと一体の部位であり、
前記第２シェルは、第２外側部と、第２連結部とを有しており、
前記第２外側部及び前記第２インピーダンス調整部は、前記ピッチ方向において向かい合っており、且つ、前記ピッチ方向と交差する方向に延びており、
前記第２インピーダンス調整部は、前記ピッチ方向において前記第２外側部の内側に位置しており、
前記第２連結部は、前記第２外側部と前記第２インピーダンス調整部とを互いに連結しており、
前記端子は、前記ピッチ方向に並べられた前記信号線の前記露出部に夫々取り付けられており、
前記第１インピーダンス調整部及び前記第２インピーダンス調整部は、前記信号線全体の前記ピッチ方向における両側に夫々位置しており、
前記下側シェルが、前記第１シェルであり、且つ、前記第２シェルであり、
前記上側シェルは、本体部と、上側絞り部と、かしめ部とを有しており、
前記上側絞り部は、前記本体部の後方に位置しており、前記ピッチ方向において狭まりつつ後方の前記かしめ部に向かって延びており、
前記下側シェルは、前部と、下側絞り部と、後部とを有しており、
前記下側絞り部は、前記前部の後方に位置しており、前記ピッチ方向において狭まりつつ後方の前記後部に向かって延びており、
前記下側シェルの前記前部は、前記ピッチ方向において前記上側シェルの前記本体部の外側に位置しており、
前記下側シェルの前記後部は、前記ピッチ方向において前記上側シェルの前記本体部の内側に位置している
ワイヤハーネス。
【発明の詳細な説明】
【技術分野】
【０００１】
本発明は、複数の信号線を備えるケーブルに取付可能なコネクタに関する。
【背景技術】
【０００２】
特許文献１には、このタイプのコネクタが開示されている。
【０００３】
図１２を参照すると、特許文献１に開示されたシールドコネクタ（コネクタ）９１０は、シールドツイストペア電線（ケーブル）９５０に取り付けられている。コネクタ９１０は、複数の内導体端子（端子）９１２と、外導体シェル（シェル）９１６とを備えている。ケーブル９５０は、複数の信号線９５２と、信号線９５２を覆う外側部材９５４とを備えている。外側部材９５４は、シールド導体（シールド）９５６と、シース（外被）９５８とを含んでいる。外側部材９５４は、ケーブル９５０の端部において剥かれており、信号線９５２の端部は、外側部材９５４の外部に露出して、コネクタ９１０の端子９１２に夫々取り付けられている。
【０００４】
ケーブル９５０のシールド９５６は、コネクタ９１０のシェル９１６と接触しており、これにより外側部材９５４の外部に露出した信号線９５２の端部（露出部）は、電磁的にシールドされている。特に、シェル９１６には、膨出部（被配置部）９１８が設けられている。被配置部９１８は、外側部材９５４に向かって張り出して、外側部材９５４のシールド９５６上に配置されており、これにより電磁的なシールドが強化されている。
【先行技術文献】
【特許文献】
【０００５】
【特許文献１】特開２０１２−１６０４８１号公報
【発明の概要】
【発明が解決しようとする課題】
【０００６】
ケーブルの外側部材から信号線を露出させると、信号線の露出部においてインピーダンスが増大し易い。この結果、信号線の伝送効率が低下するおそれがある。
【０００７】
そこで、本発明は、信号線の露出部におけるインピーダンスの増大を防止可能な構造を有するコネクタを提供することを目的とする。
【課題を解決するための手段】
【０００８】
本発明は、第１のコネクタとして、
被覆された複数の信号線と前記複数の信号線を保護する外側部材とを備えるケーブルの前後方向における前端に取り付け可能なコネクタであって、
前記コネクタは、複数の端子と、保持部材と、上側シェルと、下側シェルと、第１インピーダンス調整部と、第２インピーダンス調整部とを備えており、
前記端子は、前記前後方向と直交するピッチ方向に並べられており、
前記保持部材は、前記端子を保持しており、
前記上側シェル及び前記下側シェルは、前記前後方向及び前記ピッチ方向の双方と直交する上下方向において前記保持部材を挟んでおり、
前記第１インピーダンス調整部は、前記上側シェル又は前記下側シェルである第１シェルと一体の部位であり、
前記第１シェルは、第１外側部と、第１連結部とを有しており、
前記第１外側部及び前記第１インピーダンス調整部は、前記ピッチ方向において向かい合っており、且つ、前記ピッチ方向と交差する方向に延びており、
前記第１インピーダンス調整部は、前記ピッチ方向において前記第１外側部の内側に位置しており、
前記第１連結部は、前記第１外側部と前記第１インピーダンス調整部とを互いに連結しており、
前記第２インピーダンス調整部は、前記上側シェル又は前記下側シェルである第２シェルと一体の部位であり、
前記第２シェルは、第２外側部と、第２連結部とを有しており、
前記第２外側部及び前記第２インピーダンス調整部は、前記ピッチ方向において向かい合っており、且つ、前記ピッチ方向と交差する方向に延びており、
前記第２インピーダンス調整部は、前記ピッチ方向において前記第２外側部の内側に位置しており、
前記第２連結部は、前記第２外側部と前記第２インピーダンス調整部とを互いに連結しており、
前記コネクタが前記ケーブルの前記前端に取り付けられた際に、前記端子は、前記ピッチ方向に並べられた前記信号線に夫々取り付けられ、前記第１インピーダンス調整部及び前記第２インピーダンス調整部は、前記信号線全体の前記ピッチ方向における両側に夫々位置する
コネクタを提供する。
【０００９】
また、本発明は、第２のコネクタとして、第１のコネクタであって、
前記第１外側部及び前記第１インピーダンス調整部は、前記ピッチ方向において他の部位や部材を間に介することなく直接的に向かい合っており、
前記第２外側部及び前記第２インピーダンス調整部は、前記ピッチ方向において他の部位や部材を間に介することなく直接的に向かい合っている
コネクタを提供する。
【００１０】
また、本発明は、第３のコネクタとして、第１又は第２のコネクタであって、
前記上側シェル及び前記下側シェルの一方が、前記第１シェルであり、且つ、前記第２シェルである
コネクタを提供する。
【００１１】
また、本発明は、第４のコネクタとして、第３のコネクタであって、
前記下側シェルが、前記第１シェルであり、且つ、前記第２シェルであり、
前記上側シェルは、本体部と、上側絞り部と、かしめ部とを有しており、
前記上側絞り部は、前記本体部の後方に位置しており、前記ピッチ方向において狭まりつつ後方の前記かしめ部に向かって延びており、
前記下側シェルは、前部と、下側絞り部と、後部とを有しており、
前記下側絞り部は、前記前部の後方に位置しており、前記ピッチ方向において狭まりつつ後方の前記後部に向かって延びており、
前記下側シェルの前記前部は、前記ピッチ方向において前記上側シェルの前記本体部の外側に位置しており、
前記下側シェルの前記後部は、前記ピッチ方向において前記上側シェルの前記本体部の内側に位置している
コネクタを提供する。
【００１２】
また、本発明は、第５のコネクタとして、第１から第４までのいずれかのコネクタであって、
前記第１連結部は、前記第１外側部の前記上下方向における一端と前記第１インピーダンス調整部の前記上下方向における一端との間をＵ字状に延びており、
前記第２連結部は、前記第２外側部の前記上下方向における一端と前記第２インピーダンス調整部の前記上下方向における一端との間をＵ字状に延びている
コネクタを提供する。
【００１３】
また、本発明は、第６のコネクタとして、第１から第５までのいずれかのコネクタであって、
前記端子の数は２である
コネクタを提供する。
【００１４】
また、本発明は、第７のコネクタとして、第１から第６までのいずれかのコネクタであって、
前記第１インピーダンス調整部及び前記第２インピーダンス調整部の夫々は、前記ピッチ方向において前記保持部材の外側端よりも内側に位置しており、前記前後方向において前記端子よりも後方に位置している
コネクタを提供する。
【００１５】
また、本発明は、第８のコネクタとして、第１から第７までのいずれかのコネクタであって、
前記第１インピーダンス調整部及び前記第２インピーダンス調整部の夫々は、前記前後方向において前記保持部材の真後ろに位置して、前記保持部材と接触又は近接している
コネクタを提供する。
【００１６】
また、本発明は、第１のワイヤハーネスとして、
コネクタと、ケーブルとを備えるワイヤハーネスであって、
前記コネクタは、前記ケーブルの前後方向における前端に取り付けられており、
前記ケーブルは、被覆された複数の信号線と、外側部材とを備えており、
前記信号線の夫々は、被保護部と、露出部とを有しており、
前記外側部材は、前記複数の信号線の前記被保護部を保護しており、
前記露出部は、前記被保護部の前方に位置しており、且つ、前記外側部材の外部に露出しており、
前記コネクタは、複数の端子と、保持部材と、上側シェルと、下側シェルと、第１インピーダンス調整部と、第２インピーダンス調整部とを備えており、
前記端子は、前記前後方向と直交するピッチ方向に並べられており、
前記保持部材は、前記端子を保持しており、
前記上側シェル及び前記下側シェルは、前記前後方向及び前記ピッチ方向の双方と直交する上下方向において前記保持部材を挟んでおり、
前記第１インピーダンス調整部は、前記上側シェル又は前記下側シェルである第１シェルと一体の部位であり、
前記第１シェルは、第１外側部と、第１連結部とを有しており、
前記第１外側部及び前記第１インピーダンス調整部は、前記ピッチ方向において向かい合っており、且つ、前記ピッチ方向と交差する方向に延びており、
前記第１インピーダンス調整部は、前記ピッチ方向において前記第１外側部の内側に位置しており、
前記第１連結部は、前記第１外側部と前記第１インピーダンス調整部とを互いに連結しており、
前記第２インピーダンス調整部は、前記上側シェル又は前記下側シェルである第２シェルと一体の部位であり、
前記第２シェルは、第２外側部と、第２連結部とを有しており、
前記第２外側部及び前記第２インピーダンス調整部は、前記ピッチ方向において向かい合っており、且つ、前記ピッチ方向と交差する方向に延びており、
前記第２インピーダンス調整部は、前記ピッチ方向において前記第２外側部の内側に位置しており、
前記第２連結部は、前記第２外側部と前記第２インピーダンス調整部とを互いに連結しており、
前記端子は、前記ピッチ方向に並べられた前記信号線の前記露出部に夫々取り付けられており、
前記第１インピーダンス調整部及び前記第２インピーダンス調整部は、前記信号線全体の前記ピッチ方向における両側に夫々位置している
ワイヤハーネスを提供する。
【発明の効果】
【００１７】
コネクタがケーブルに取り付けられた際に、第１インピーダンス調整部及び第２インピーダンス調整部は、ケーブルの信号線全体のピッチ方向における両側に夫々位置する。また、第１インピーダンス調整部は、ピッチ方向において第１シェルの第１外側部の内側に位置しており、第２インピーダンス調整部は、ピッチ方向において第２シェルの第２外側部の内側に位置している。換言すれば、第１インピーダンス調整部及び第２インピーダンス調整部は、ピッチ方向において信号線に近接するように設けられている。この構造により、信号線の露出部におけるインピーダンスの増大を防止できる。
【図面の簡単な説明】
【００１８】
【図１】本発明の実施の形態によるワイヤハーネス（コネクタ及びケーブル）を示す斜視図である。コネクタと嵌合する相手側コネクタの一部を破線で模式的に描画している。
【図２】図１のコネクタ（外部ハウジング及びコネクタ本体）とケーブルとを示す斜視図である。コネクタ本体は、ケーブルに取り付けられている一方、外部ハウジングに収容されていない。
【図３】図２のコネクタ本体及びケーブルを示す斜視図である。上側シェルのかしめ部は、かしめられていない。上側シェルの本体部の側板の隠れた輪郭を破線で描画している。相手側コネクタの相手側端子を１点鎖線で模式的に描画している。
【図４】図３のケーブルを示す斜視図である。信号線のうち外側部材に保護された被保護部の概略形状を破線で示している。
【図５】図３のコネクタ本体及びケーブルを示す分解斜視図である。端子は、ケーブルに接続されている。
【図６】図５のコネクタ本体の上側シェルを示す斜視図である。ケーブルの外側部材の輪郭を破線で描画している。下側シェルにおける前部の側面の輪郭及び後部の側面の輪郭を１点鎖線で描画している。
【図７】図５のコネクタ本体の下側シェルを示す斜視図である。ケーブルの外側部材の輪郭を破線で描画している。保持部材の輪郭を１点鎖線で描画している。
【図８】図５のコネクタ本体の上側シェル、保持部材、端子及びケーブルを示す斜視図である。ケーブルに接続された端子は保持部材に保持されている。保持部材は、上側シェルの上板の下面上に置かれている。端子のうち保持部材の内部に位置する部位の概略形状を破線で描画している。
【図９】図２のコネクタ本体を示す側面図である。
【図１０】図９のコネクタ本体をＡ−Ａ線に沿って示す断面図である。ケーブルの外側部材の概略位置を１点鎖線で描画している。
【図１１】図１０に示した部材や部位の断面のみについて変形例を示す図である。
【図１２】特許文献１のコネクタ及びケーブルを示す断面図である。
【発明を実施するための形態】
【００１９】
図１及び図２を参照すると、本発明の実施の形態によるワイヤハーネス１０は、コネクタ２０と、ケーブル７０とを備えている。コネクタ２０は、絶縁体からなる外部ハウジング２１０と、コネクタ本体３０とを備えている。外部ハウジング２１０には、収容部２１２が形成されている。収容部２１２は、外部ハウジング２１０をＸ方向に貫通する空間である。
【００２０】
コネクタ２０は、ケーブル７０に取り付けられている。詳しくは、コネクタ２０のコネクタ本体３０は、ケーブル７０の前後方向（Ｘ方向）における前端７２（図４参照）に取り付けられている。本実施の形態によれば、コネクタ本体３０は、ケーブル７０に取り付けられた状態で、外部ハウジング２１０の後方（−Ｘ側）から収容部２１２に挿入され収容部２１２内部に収容されている。但し、本発明は、これに限られない。例えば、コネクタ２０は、外部ハウジング２１０を備えていなくてもよい。換言すれば、コネクタ２０は、コネクタ本体３０のみから構成されていてもよい。
【００２１】
図１を参照すると、コネクタ２０は、前方（＋Ｘ側）に位置する相手側コネクタ８０とＸ方向に沿って嵌合可能である。本実施の形態によるワイヤハーネス１０（コネクタ２０及びケーブル７０）は、例えば、自動車内部におけるデータ伝送に使用される。換言すれば、本実施の形態によるコネクタ２０は、車載用コネクタである。また、コネクタ２０はプラグである。但し、本発明は、これに限られない。例えば、本発明は、車載用途以外のレセプタクルにも適用可能である。
【００２２】
図４を参照すると、ケーブル７０は、丸型のツイストペアケーブルである。ケーブル７０は、撚り合わせた２つの信号線７１０と、絶縁体からなる外側部材７５０とを備えている。外側部材７５０は、信号線７１０を覆って保護している。信号線７１０の夫々は、絶縁被覆されている。より具体的には、信号線７１０の夫々は、導電体からなる芯線７２０と、絶縁体からなる絶縁被覆７３０とを備えている。信号線７１０の夫々において、絶縁被覆７３０は、芯線７２０を覆って保護している。
【００２３】
外側部材７５０は、ケーブル７０の前端７２付近で剥かれており、信号線７１０の夫々の前端部分が外部に露出している。これにより、信号線７１０の夫々は、外側部材７５０の外部に露出した露出部７１２と、外側部材７５０の内部に位置する被保護部７１４とを有している。露出部７１２は、被保護部７１４の前方に位置している。外側部材７５０は、２つの信号線７１０の被保護部７１４を覆って保護している。２つの被保護部７１４は、撚り合わされた状態で全体としてＸ方向に沿って延びており、２つの露出部７１２は、ピッチ方向（Ｙ方向）に並んでＸ方向に沿って延びている。露出部７１２の夫々は、前端７２付近で剥かれており、芯線７２０の前端部分が外部に露出している。
【００２４】
上述したように、本実施の形態によるケーブル７０は、撚り合わせた２つの信号線７１０を備える丸型のツイストペアケーブルである。但し、本発明は、これに限られない。例えば、ケーブル７０は、ツイストペアケーブルでなくてもよい。換言すれば、２つの信号線７１０の被保護部７１４は、撚り合わされずに延びていてもよい。また、ケーブル７０は、３つ以上の信号線７１０を備えていてもよい。即ち、ケーブル７０は、被覆された複数の信号線７１０と、複数の信号線７１０を保護する外側部材７５０とを備えていればよい。
【００２５】
本実施の形態による外側部材７５０は、絶縁体からなる外被のみから構成されている。但し、本発明は、これに限られない。例えば、２つの信号線７１０は、遮蔽テープ等のシールド部材（図示せず）によって覆われていてもよい。換言すれば、遮蔽テープを含む外側部材７５０が、２つの信号線７１０を覆って保護していてもよい。また、外側部材７５０は、編組された導電体からなるシールド（図示せず）と、絶縁体からなる外被とを含んでいてもよい。この場合、シールドの前端部分は、外側部材７５０が剥かれた際に折り返されて外被の外側に位置していてもよい。
【００２６】
図５を参照すると、コネクタ本体３０は、導電体からなる２つの端子３１０と、絶縁体からなる保持部材３２０と、金属製の上側シェル５０と、金属製の下側シェル（第１シェル，第２シェル）６０とを備えている。
【００２７】
端子３１０は、ケーブル７０の信号線７１０に夫々対応している。より具体的には、端子３１０は、コネクタ本体３０がケーブル７０の前端７２（図４参照）に取り付けられた際に、Ｙ方向に並べられた信号線７１０の露出部７１２に夫々取り付けられる。詳しくは、端子３１０の夫々は、対応する信号線７１０の芯線７２０に接続される。本実施の形態によれば、信号線７１０の数が２であるため、端子３１０の数も２である。但し、コネクタ本体３０は、信号線７１０に夫々対応する複数の端子３１０を備えていてもよい。
【００２８】
図５及び図７を参照すると、保持部材３２０は、概ね直方体形状を有しておりＸ方向に長く延びている。保持部材３２０は、前端面３２２と、後端面３２４と、２つの張出面（外側端）３２６と、２つの保持部３２８とを有している。前端面３２２は、保持部材３２０の前端（＋Ｘ側の端）に位置しており、後端面３２４は、保持部材３２０の後端（−Ｘ側の端）に位置している。外側端３２６は、保持部材３２０のＹ方向における端に夫々位置している。
【００２９】
図５、図７及び図１０から理解されるように、保持部３２８の夫々は、保持部材３２０をＸ方向に貫通する空間である。保持部３２８は、Ｙ方向に並んでいる。保持部３２８の夫々は、前端面３２２において前方に開口しており、後端面３２４において後方に開口している。
【００３０】
図８を参照すると、保持部材３２０は、端子３１０を保持している。端子３１０は、信号線７１０に夫々取り付けられた状態で、保持部材３２０の後方から保持部３２８の内部に夫々挿入されている。信号線７１０の前端部分は、端子３１０と共に保持部３２８の内部に挿入されている。保持部３２８に挿入された端子３１０は、Ｙ方向に並べられて保持されている。端子３１０の前端部分は、保持部材３２０の前端面３２２から前方に突出している。
【００３１】
図３を参照すると、相手側コネクタ８０は、相手側端子８１０を備えている。コネクタ２０と相手側コネクタ８０とが互いに嵌合した嵌合状態において、端子３１０は、相手側端子８１０と夫々接続する。この接続により、ケーブル７０が取り付けられた機器（図示せず）と、相手側コネクタ８０が取り付けられた相手側機器（図示せず）との間のデータ伝送が可能になる。本実施の形態によれば、端子３１０はピンであり、嵌合状態において、ソケットである相手側端子８１０に夫々受容される。但し、端子３１０は、ピンである相手側端子８１０を受容するソケットであってもよい。
【００３２】
図６を参照すると、上側シェル５０は、曲げを有する１枚の金属板である。上側シェル５０は、折り曲げ等によって形成された様々な部位を有している。より具体的には、上側シェル５０は、本体部５１０と、上側絞り部５５０と、かしめ部５６０とを有している。
【００３３】
本体部５１０は、上板５１２と、２つの側板５１４とを有している。上板５１２は、ＸＹ平面上を延びる矩形の平板形状を有している。側板５１４は、上板５１２のＹ方向における両側に夫々設けられている。側板５１４の夫々は、上板５１２から下方（−Ｚ方向）に延びており、且つ、Ｘ方向に沿って延びている。上側絞り部５５０は、本体部５１０の後方に位置しており、Ｙ方向において狭まりつつ後方のかしめ部５６０に向かって延びている。
【００３４】
かしめ部５６０は、上部５６２と、２つの下部５６４とを有している。上部５６２は、上側絞り部５５０の後端に繋がっている。上部５６２は、ケーブル７０の外側部材７５０の表面に対応した形状を有している。より具体的には、上部５６２のＹＺ平面における断面は、外側部材７５０のＹＺ平面における断面円と同様な曲率の弧形状を有している。下部５６４は、上部５６２のＹ方向における両側から斜め下方に夫々延びている。
【００３５】
図７を参照すると、下側シェル６０は、曲げを有する１枚の金属板である。下側シェル６０は、折り曲げ等によって形成された様々な部位を有している。より具体的には、下側シェル６０は、前部６１０と、下側絞り部６２０と、後部６３０と、接続部６４０と、被配置部６５０とを有している。
【００３６】
前部６１０は、下板６１２と、２つの側板６１４とを有している。下板６１２は、ＸＹ平面上を延びる矩形の平板形状を有している。側板６１４は、下板６１２のＹ方向における両側に夫々設けられている。側板６１４の夫々は、下板６１２から上方（＋Ｚ方向）に延びており、且つ、Ｘ方向に沿って延びている。下側絞り部６２０は、前部６１０の後方に位置しており、Ｙ方向において狭まりつつ後方の後部６３０に向かって延びている。
【００３７】
後部６３０は、下側絞り部６２０の後端に繋がっている。後部６３０は、下板６３２と、２つの側板（外側部）６３４と、２つの連結部６３６と、２つのインピーダンス調整部６３８とを有している。下板６３２は、ＸＹ平面上を延びる矩形の平板形状を有している。側板６３４は、下板６３２のＹ方向における両側に夫々設けられている。側板６３４の夫々は、下板６３２から上方に延びており、且つ、Ｘ方向に沿って延びている。
【００３８】
インピーダンス調整部６３８は、側板６３４に夫々対応して設けられている。インピーダンス調整部６３８は、Ｘ方向において側板６３４の後端近傍に夫々位置しており、Ｚ方向に延びている。インピーダンス調整部６３８の夫々は、対応する側板６３４のＹ方向内側に位置しており、対応する側板６３４とＹ方向において向かい合っている。従って、２つのインピーダンス調整部６３８は、Ｙ方向において２つの側板６３４の間に位置している。
【００３９】
連結部６３６は、側板６３４に夫々対応して設けられている。連結部６３６の夫々は、曲げ加工によって形成されている。詳しくは、側板６３４から上方に延びる金属片（図示せず）が１８０°折り曲げられ、これにより、連結部６３６及びインピーダンス調整部６３８が形成されている。連結部６３６の夫々は、ＹＺ平面において、上方に向かって突出した逆Ｕ字形状を有しており、これにより２つの下端（−Ｚ側の端）を有している。連結部６３６の夫々において、下端の一方は、対応する側板６３４の上端（＋Ｚ側の端）に繋がっており、下端の他方は、対応するインピーダンス調整部６３８の上端に繋がっている。換言すれば、連結部６３６の夫々は、インピーダンス調整部６３８と側板６３４とを互いに平行にＺ方向に延びるように連結している。
【００４０】
接続部６４０は、後部６３０の下板６３２の後端に繋がっており、後方の被配置部６５０に向かって延びている。被配置部６５０は、接続部６４０の後端に繋がっている。換言すれば、接続部６４０は、後部６３０と被配置部６５０とを互いに接続している。被配置部６５０は、ケーブル７０の外側部材７５０の表面に対応した形状を有している。
【００４１】
図１０を参照すると、本実施の形態による下側シェル６０には、側板６３４、連結部６３６及びインピーダンス調整部６３８からなるセットが２つ形成されている。２つのセットは、ＸＺ平面について互いに鏡対称な形状を有している。以下の説明においては、必要に応じて、＋Ｙ側の側板６３４を第１外側部６６２と記載し、−Ｙ側の側板６３４を第２外側部６７２と記載する。また、第１外側部６６２に対応する＋Ｙ側の連結部６３６及びインピーダンス調整部６３８を、第１連結部６６４及び第１インピーダンス調整部６６８と夫々記載し、第２外側部６７２に対応する−Ｙ側の連結部６３６及びインピーダンス調整部６３８を、第２連結部６７４及び第２インピーダンス調整部６７８と夫々記載する。
【００４２】
第１外側部６６２及び第１インピーダンス調整部６６８は、Ｙ方向において向かい合っており、且つ、Ｙ方向と直交する方向（Ｚ方向）に延びている。第１インピーダンス調整部６６８は、Ｙ方向において第１外側部６６２の内側に位置している。第１連結部６６４は、第１外側部６６２と第１インピーダンス調整部６６８とを互いに連結している。同様に、第２外側部６７２及び第２インピーダンス調整部６７８は、Ｙ方向において向かい合っており、且つ、Ｚ方向に延びている。第２インピーダンス調整部６７８は、Ｙ方向において第２外側部６７２の内側に位置している。第２連結部６７４は、第２外側部６７２と第２インピーダンス調整部６７８とを互いに連結している。
【００４３】
図５を参照すると、本実施の形態によれば、コネクタ本体３０は、例えば下記のように組み立てられる。図８を参照すると、まず、上側シェル５０を上下にひっくり返して配置する。次に、端子３１０を保持した保持部材３２０を、上側シェル５０の本体部５１０の上板５１２の下面上に配置する。図７及び図８を参照すると、次に、下側シェル６０を上下にひっくり返して、保持部材３２０が配置された上側シェル５０に、上方から組み合わせる。図２及び図３を参照すると、次に、上側シェル５０のかしめ部５６０を、ケーブル７０の外側部材７５０にかしめる。
【００４４】
図３を図８と併せて参照すると、上述のように組み合わされた上側シェル５０及び下側シェル６０は、保持部材３２０をＺ方向に挟んでいる。詳しくは、上側シェル５０及び下側シェル６０によってシェル４０が形成されている。シェル４０の内部には、受容部４２が形成されている。受容部４２は、ＹＺ平面においてシェル４０に囲まれた空間である。保持部材３２０は、受容部４２の内部に受容されており、ＹＺ平面においてシェル４０に囲まれている。コネクタ２０が相手側コネクタ８０（図１参照）と嵌合した際に、シェル４０はグランドされ、これにより端子３１０は電磁的にシールドされる。
【００４５】
図３及び図９から理解されるように、上側シェル５０のかしめ部５６０は、下側シェル６０の被配置部６５０を間に挟んで、ケーブル７０の外側部材７５０にかしめられている。かしめ部５６０が外側部材７５０にかしめられた際に、コネクタ本体３０は、ケーブル７０の前端７２（図４参照）に取り付けられた取付状態にある。取付状態において、ケーブル７０の前端部分は、コネクタ本体３０に固定されており、上側シェル５０と下側シェル６０とは互いに固定されている。
【００４６】
図１０を参照すると、第１インピーダンス調整部６６８及び第２インピーダンス調整部６７８の夫々は、Ｙ方向において保持部材３２０の外側端３２６よりも内側に位置しており、Ｘ方向において端子３１０（図８参照）よりも後方に位置している。このように配置された第１インピーダンス調整部６６８及び第２インピーダンス調整部６７８は、取付状態において、２つの信号線７１０の露出部７１２全体のＹ方向における両側に夫々位置する。詳しくは、第１インピーダンス調整部６６８は、＋Ｙ側の露出部７１２のＹ方向外側に位置し、第２インピーダンス調整部６７８は、−Ｙ側の露出部７１２のＹ方向外側に位置する。
【００４７】
第１外側部６６２から−Ｙ方向に張り出した第１連結部６６４が設けられているため、第１インピーダンス調整部６６８は、＋Ｙ側の露出部７１２に近接している。同様に、第２外側部６７２から＋Ｙ方向に張り出した第２連結部６７４が設けられているため、第２インピーダンス調整部６７８は、−Ｙ側の露出部７１２に近接している。本実施の形態によれば、インピーダンス調整部６３８の夫々が、対応する露出部７１２に近接するように設けられているため、露出部７１２におけるインピーダンスの増大を防止できる。この結果、信号線７１０の伝送効率の低下を防止できる。特に、第１インピーダンス調整部６６８及び第２インピーダンス調整部６７８の夫々は、下側シェル６０と一体の部位である。このため、部品点数を増加させることなく、インピーダンスの増大を、より確実に防止できる。
【００４８】
また、第１インピーダンス調整部６６８は、Ｚ方向において＋Ｙ側の露出部７１２を越えて上下に延びており、第２インピーダンス調整部６７８は、Ｚ方向において−Ｙ側の露出部７１２を越えて上下に延びている。この配置により、露出部７１２におけるインピーダンスの増大を更に確実に防止できる。
【００４９】
本実施の形態によれば、２つのインピーダンス調整部６３８が２つの信号線７１０に夫々対応して設けられている。また、第１インピーダンス調整部６６８と＋Ｙ側の露出部７１２との間のＹ方向における距離Ｄ１は、第２インピーダンス調整部６７８と−Ｙ側の露出部７１２との間のＹ方向における距離Ｄ２と等しい。これにより、露出部７１２におけるインピーダンスの増大を防止できるとともに、２つの露出部７１２のインピーダンスを整合させることができる。但し、本発明は、これに限られない。例えば、距離Ｄ１は、距離Ｄ２と多少異なっていてもよい。また、信号線７１０の数が３以上の場合でも、例えば隣り合う信号線７１０の間にグランドされる部位（図示せず）を設けることで、インピーダンスの増大を防止できるとともに、インピーダンスを整合させることができる。但し、できるだけ簡易な構造によってインピーダンスを整合させるという観点からは、信号線７１０の数が２であることが好ましい。
【００５０】
図３及び図７を参照すると、本実施の形態によれば、下側シェル６０の被配置部６５０は、ケーブル７０の外側部材７５０上に配置され、且つ、固定されている。図１０を参照すると、例えばケーブル７０が煽られたとしても、このように固定された下側シェル６０のインピーダンス調整部６３８は、信号線７１０の露出部７１２に対して殆ど移動しない。換言すれば、距離Ｄ１及び距離Ｄ２を一定に維持できる。
【００５１】
図１０を参照すると、本実施の形態によれば、第１外側部６６２及び第１インピーダンス調整部６６８は、Ｙ方向において他の部位や部材を間に介することなく直接的に向かい合っており、且つ、Ｚ方向に延びている。同様に、第２外側部６７２及び第２インピーダンス調整部６７８は、Ｙ方向において他の部位や部材を間に介することなく直接的に向かい合っており、且つ、Ｚ方向に延びている。
【００５２】
但し、本発明は、これに限られない。例えば、第１外側部６６２及び第１インピーダンス調整部６６８は、Ｙ方向と多少斜交する方向に延びていてもよい。換言すれば、第１外側部６６２及び第１インピーダンス調整部６６８は、Ｙ方向と交差する方向に延びていればよい。同様に、第２外側部６７２及び第２インピーダンス調整部６７８は、Ｙ方向と多少斜交する方向に延びていてもよい。換言すれば、第２外側部６７２及び第２インピーダンス調整部６７８は、Ｙ方向と交差する方向に延びていればよい。
【００５３】
図３を参照すると、上側シェル５０の本体部５１０のＸ方向におけるサイズは、下側シェル６０の前部６１０、下側絞り部６２０及び後部６３０からなる集合体のＸ方向におけるサイズと略同じである。また、本体部５１０の幅（即ち、Ｙ方向におけるサイズ）は、前部６１０の幅よりも小さく、且つ、後部６３０の幅よりも大きい。このため、前部６１０は、Ｙ方向において本体部５１０の外側に位置しており、後部６３０は、Ｙ方向において本体部５１０の内側に位置している。
【００５４】
詳しくは、図３及び図６を参照すると、上側シェル５０の本体部５１０は、前側本体部５２０と、後側本体部５３０とを有している。前側本体部５２０は、本体部５１０のうちの前側（＋Ｘ側）の部位であり、後側本体部５３０は、本体部５１０のうちの後側（−Ｘ側）の部位である。後側本体部５３０の幅は、前側本体部５２０の幅と同じである。一方、下側シェル６０には前部６１０と後部６３０との間に下側絞り部６２０が設けられているため、後部６３０の幅は、前部６１０の幅よりも小さい。
【００５５】
図１０を参照すると、上述のように下側絞り部６２０が後部６３０の幅を狭めているため、インピーダンス調整部６３８の夫々は、下側絞り部６２０によっても対応する露出部７１２に近接している。本実施の形態によれば、下側絞り部６２０及び連結部６３６が、インピーダンス調整部６３８の夫々を、対応する露出部７１２に二段階で近づけているため、下側絞り部６２０を比較的緩やかに絞ることができる。加えて、インピーダンス調整部６３８を形成する際の連結部６３６の曲げ加工が容易である。換言すれば、本実施の形態によれば、下側シェル６０を、比較的容易に形成できる。但し、本発明は、これに限られず、下側絞り部６２０は、必要に応じて設ければよい。
【００５６】
図３を参照すると、かしめ部５６０は、上側シェル５０に設けられている。このため、かしめ部５６０を形成するための上側絞り部５５０も上側シェル５０に設けられている。本実施の形態によれば、上側絞り部５５０及び下側絞り部６２０の２つの絞り部が上側シェル５０及び下側シェル６０に分けて設けられている。また、上側シェル５０の本体部５１０は、Ｘ方向に真っ直ぐ延びる単純な形状を有している。このため、上側シェル５０を、比較的容易に形成できる。但し、本発明は、これに限られない。例えば、接続部６４０及び被配置部６５０を上側シェル５０に設け、上側絞り部５５０及びかしめ部５６０を下側シェル６０に設けてもよい。
【００５７】
図７及び図１０を参照すると、２つのインピーダンス調整部６３８（第１インピーダンス調整部６６８及び第２インピーダンス調整部６７８）の夫々は、Ｘ方向において保持部材３２０の後端面３２４の真後ろに位置している。また、インピーダンス調整部６３８の夫々は、保持部材３２０の後端面３２４と接触又は近接している。保持部材３２０の後端面３２４は、後方に移動するとインピーダンス調整部６３８と突き当たる。このため、ケーブル７０が後方に強く引かれたとしても、保持部材３２０は、インピーダンス調整部６３８よりも後方には移動しない。このように、本実施の形態によるインピーダンス調整部６３８は、保持部材３２０の抜けを防止する抜け止め部として機能する。但し、保持部材３２０の抜け止めは、これと異なる方法で実現してもよい。
【００５８】
図７及び図８を参照すると、本実施の形態によれば、シェル４０のうち保持部材３２０を受容する部位は、保持部材３２０に近接するように折り曲げられた部位を有していない。このため、コネクタ本体３０の小型化（特に、Ｙ方向における小型化）が可能である。
【００５９】
図１０を参照すると、本実施の形態によれば、第１連結部６６４は、第１外側部６６２のＺ方向における一端（上端）と第１インピーダンス調整部６６８のＺ方向における一端（上端）との間をＵ字状に曲線を描いて延びている。同様に、第２連結部６７４は、第２外側部６７２のＺ方向における一端（上端）と第２インピーダンス調整部６７８のＺ方向における一端（上端）との間をＵ字状に曲線を描いて延びている。これにより、下側シェル６０を上側シェル５０に組み合わせる際に、第１インピーダンス調整部６６８及び第２インピーダンス調整部６７８が信号線７１０を破損することを防止できる。但し、本発明は、これに限られない。例えば、信号線７１０が破損する可能性が低い場合、連結部６３６の夫々は、対応するインピーダンス調整部６３８を対応する側板６３４に連結している限り、どのような形状を有していてもよい。
【００６０】
本実施の形態によれば、インピーダンス調整部６３８の夫々は、下側シェル６０の一部である。但し、本発明は、これに限られない。例えば、インピーダンス調整部６３８の一方を上側シェル５０に設け、インピーダンス調整部６３８の他方を下側シェル６０に設けてもよい。
【００６１】
より具体的には、図１１を参照すると、本実施の形態の変形例によるシェル４０Ａは、上側シェル（第１シェル）５０Ａと、下側シェル（第２シェル）６０Ａとから構成されている。上側シェル５０Ａは、上側シェル５０（図１０参照）の本体部５１０と少し異なる本体部５１０Ａを有している。本体部５１０Ａは、上側シェル５０の＋Ｙ側の側板５１４に代えて側板（外側部）５１４Ａを有していることを除き、本体部５１０と同じ構造を有している。下側シェル６０Ａは、下側シェル６０（図１０参照）の＋Ｙ側の側板６３４に代えて側板６３４Ａを有していることを除き、下側シェル６０と同じ構造を有している。
【００６２】
上側シェル５０Ａの側板５１４Ａは、第１外側部５３２Ａとして機能する。第１外側部５３２Ａには、第１連結部５３４Ａと、第１インピーダンス調整部５３８Ａとが設けられている一方、下側シェル６０Ａの側板６３４Ａには、第１連結部６６４及び第１インピーダンス調整部６６８（図１０参照）が設けられていない。第１連結部５３４Ａは、第１連結部６６４と異なり、ＹＺ平面において、下方に向かって突出したＵ字形状を有している。第１インピーダンス調整部５３８Ａは、第１インピーダンス調整部６６８と同様な構造を有しており、同様に機能する。
【００６３】
図１０及び図１１から理解されるように、コネクタ本体３０が第１インピーダンス調整部と、第２インピーダンス調整部とを備えている限り、第１インピーダンス調整部及び第２インピーダンス調整部の夫々は、上側シェル及び下側シェルのいずれに設けられていてもよい。換言すれば、第１インピーダンス調整部は、上側シェル又は下側シェルである第１シェルと一体の部位であればよく、且つ、第１シェルは、第１外側部と、第１連結部とを有していればよい。また、第２インピーダンス調整部は、上側シェル又は下側シェルである第２シェルと一体の部位であればよく、且つ、第２シェルは、第２外側部と、第２連結部とを有していればよい。
【００６４】
図１０を参照すると、本実施の形態によれば、第１インピーダンス調整部６６８及び第２インピーダンス調整部６７８の夫々が下側シェル６０に設けられている。換言すれば、下側シェル６０が第１シェル６０であり、且つ、第２シェル６０である。但し、第１インピーダンス調整部６６８及び第２インピーダンス調整部６７８の夫々が上側シェル５０に設けられていてもよい。換言すれば、上側シェル５０が第１シェルであり、且つ、第２シェルであってもよい。即ち、上側シェル５０及び下側シェル６０の一方が、第１シェルであり、且つ、第２シェルであってもよい。
【００６５】
本実施の形態によるコネクタ本体３０は、既に述べた変形例に加えて、更に様々に変形可能である。
【００６６】
例えば、図５を参照すると、保持部材３２０は、端子３１０を保持できる限り、どのような形状を有していてもよい。また、上側シェル５０及び下側シェル６０の夫々は、上述した部位に加えて更に部位を有していてもよい。例えば、下側シェル６０は、上側シェル５０と組み合わせた際に上側シェル５０と係合する部位（図示せず）を有していてもよい。一方、側板６３４や被配置部６５０等の上述した部位の夫々は、必要に応じて設ければよく、且つ、必要に応じて様々な形状を有していてもよい。例えば、図７を参照すると、側板６３４のＸ方向におけるサイズは、インピーダンス調整部６３８のＸ方向におけるサイズと同じであってもよい。被配置部６５０は、半円柱形状を有していてもよい。また、被配置部６５０は、ケーブル７０に設けられ且つ折り返されたシールド（図示せず）を介してケーブル７０の外被に締め付けられていてもよい。
【００６７】
本発明は、上述したコネクタだけでなく、様々なコネクタに適用可能である。例えば、本発明は、防水構造を有する防水コネクタにも適用可能である。
【符号の説明】
【００６８】
１０                ワイヤハーネス
２０                コネクタ
２１０              外部ハウジング
２１２              収容部
３０                コネクタ本体
３１０              端子
３２０              保持部材
３２２              前端面
３２４              後端面
３２６              張出面（外側端）
３２８              保持部
４０，４０Ａ        シェル
４２                受容部
５０                上側シェル
５０Ａ              上側シェル（第１シェル）
５１０，５１０Ａ    本体部
５１２              上板
５１４              側板
５１４Ａ            側板（外側部）
５２０              前側本体部
５３０              後側本体部
５３２Ａ            第１外側部
５３４Ａ            第１連結部
５３８Ａ            第１インピーダンス調整部
５５０              上側絞り部
５６０              かしめ部
５６２              上部
５６４              下部
６０                下側シェル（第１シェル，第２シェル）
６０Ａ              下側シェル（第２シェル）
６１０              前部
６１２              下板
６１４              側板
６２０              下側絞り部
６３０              後部
６３２              下板
６３４              側板（外側部）
６３４Ａ            側板
６３６              連結部
６３８              インピーダンス調整部
６４０              接続部
６５０              被配置部
６６２              第１外側部
６６４              第１連結部
６６８              第１インピーダンス調整部
６７２              第２外側部
６７４              第２連結部
６７８              第２インピーダンス調整部
７０                ケーブル
７２                前端
７１０              信号線
７１２              露出部
７１４              被保護部
７２０              芯線
７３０              絶縁被覆
７５０              外側部材
８０                相手側コネクタ
８１０              相手側端子
【図１】
0006647958.tif 000002
【図２】
0006647958.tif 000003
【図３】
0006647958.tif 000004
【図４】
0006647958.tif 000005
【図５】
0006647958.tif 000006
【図６】
0006647958.tif 000007
【図７】
0006647958.tif 000008
【図８】
0006647958.tif 000009
【図９】
0006647958.tif 000010
【図１０】
0006647958.tif 000011
【図１１】
0006647958.tif 000012
【図１２】
0006647958.tif 000013